(57)【要約】【課題】  ビルや家庭用の空気調和機から出る排熱の低減化と、蒸発器内で真空にして、水を気化させた時に一般の水面検知器では誤作動するため、制御できないのが課題である。【解決手段】  図１の空気調和機の構造にすることにより蒸発器内を真空ポンプで真空にしてから水を流し、水蒸気化して冷却作用をしてから真空ポンプによって排出される。そのため排出される熱は、蒸発器で真空状態のときに水蒸気が取り除いた空気の熱と、真空ポンプ内でのモーター等の熱だけとなり、排熱を減少させることができる。  また、蒸発器内の水量の制御は中の水量が増えると、水量が少ないときより水温が高くなるのを利用して制御することにより解決した。【選択図】図１
2006300512.tif 000002
【特許請求の範囲】
【請求項１】
真空ポンプと蒸発器、タンクを含む給水装置を主な部分とする冷却装置と風を送る送風機からなる空気調和機である。
【請求項２】
蒸発器内の水の量を温度で推量できるのを利用して給水量を制御する手段を備えたことを特徴とする空気調和機である
【発明の詳細な説明】
【技術分野】
【０００１】  本発明は、空気調和機に関するものであり、冷却装置から出る排熱の低減化と蒸発器内の水量の制御に関するものである。
【背景技術】
【０００２】  従来から、冷却装置の主な装置としてフロン式冷凍機や吸収式冷凍機などがあるが、本発明の蒸発器は、吸収式冷凍機の蒸発器の部分と同じ、水の気化熱を利用しているので吸収式冷凍機を従来の技術として記載する。【０００３】  吸収式冷凍機は、一般に冷媒として水、吸収剤として臭化リチウム溶剤を用いる。再生器、凝縮器、蒸発器、吸収器の主要な四つの容器により構成されており、冷媒はこれらの中を循環する。吸収液は、吸収器と再生器との間を循環する。冷媒である水は、絶対圧力０．９ｋＰａ程度の真空状態で蒸発器内において蒸発し冷凍作用を行い、吸収器内で吸収液に吸収される。水蒸気を吸収して希溶液となった吸収液は、再生器に送られ、過熱されて絶対圧力が９ｋＰａ程度になり水蒸気放出する。発生した水蒸気は、凝縮器に入り、冷却されて液化し蒸発器に送られる。再生器で水蒸気を放出して濃溶液となった吸収液は吸収器に戻る。冷却水は吸収器を通って凝縮器に送られ、吸収器内の吸収熱と凝縮器内の凝縮熱を除去する。【０００４】  しかし本発明は、請求項１のとおり基本的な部品構成が、吸収冷凍機と異なるので先行技術としての特許文献は、見つかりませんでした。
【発明の開示】
【発明が解決しようとする課題】
【０００５】  課題１  従来の吸収冷凍機では、冷却水で排出される熱は、冷水を冷やす熱だけではなく再生器の熱源としてボイラーの熱や吸収器内での臭化リチウムが水蒸気を吸収するときの吸収熱も含まれ、温暖化の原因の一つといわれている。
この排出される熱を減少させることが課題である。【０００６】  課題２  また、本発明内において、蒸発器の中を真空にして水を入れた場合、水面が泡立ち、フロートスイッチやフロートレススイッチなどの水位制御器では制御できない為、水面の位置を制御することが課題である。
【課題を解決する手段】
【０００７】  課題１を解決するために請求項１の空気調和機の構造にすることにより蒸発器内を真空ポンプで真空状態にしてから水を流すと水蒸気化し、冷却作用をしてから真空ポンプによって排気される。そのため排出される熱は、蒸発器で真空状態のとき水蒸気が取り除いた空気の熱と、真空ポンプ内でのモーター等の熱だけになり、排出される熱を減少させることができる。
【０００８】  課題２の水位制御の問題を解決するために、水の飽和温度を利用、蒸発器の中で９．２ｍｍＨｇの真空度で水は１０℃で蒸気化する。
一方、給水タンクの中の水の温度は、給水タンクに補充するときは水の給水温度、それ以外は室温に影響されるが、いずれにしても蒸発器の中の水蒸気の温度より高いと考えられる。そこで蒸発器の給水口の温度を測定して、約１０℃以下ならそのセンサー付近まで水蒸気化してきているので、給水を続ける。逆に１１℃以上なら水が水蒸気化しないで蒸発器の中で水位が高くなっている状態なので、給水を止めることにより蒸発器内の水面の位置を制御することができる。
【発明の効果】
【０００９】  今までの空気調和機（冷房器）と異なりボイラー、冷却塔などが必要とせず、また家庭用のエアコンのように凝縮器から温風が出ることが無いので、温暖化やヒートアイランド現象を減少できると考える。
【００１０】  また、給水回路を設けることによりあらかじめ蒸発器内に水をためておく必要が無く、水を蒸発器内にためると、蒸発器の容積が大きくなり冷却作用が始まるのが遅くなる。また、給水装置に水道を接続したりすると連続的に運転できる。
【実施例】
【００１１】  動作説明  実施例の図１の配管図、図２の電気回路図である。最初に図１の排水バルブ１５を閉めて給水タンク１に水を入れ、給気バルブ１３、排水バルブ５を閉める。次に図２の電源スイッチ１６を入れると図１の真空ポンプ１２が作動し、蒸発器７、蒸発器８の中の空気が排気逆止弁１１を流れ真空ポンプ１２に吸引され室外に排気される。したがって蒸発器７、蒸発器８の中が真空になり真空圧力スイッチ９が作動する。蒸発器７、蒸発器８の圧力が約９．２ｍｍＨｇに下がる頃、送風ファン１４が真空遅延タイマー２０のセットアップにより作動する。同時に給水電磁弁３が開き、給水タンク１より水が蒸発器７内に給水ニードルバルブ４により絞られて、蒸発器７内に流れ水蒸気になる。その時の冷却作用で蒸発器７、蒸発器８の周りを流れる空気を冷やすことができる。部屋の空気は図１の送風ファン１４によって、左側の蒸発器８の左側から送風ファン１４の右側に向かって流れる。【００１２】  給水電磁弁３は、蒸発器７の給水口近くの温度が、１０℃以下の場合は水が、給水口の近くまで蒸気化しているので、給水電磁弁３は開いたままになる。また、蒸発器の給水口近くの温度が、１１℃以上の場合は水が、気化しないで給水タンク１から蒸発器７の中に流れている状態なので、給水電磁弁３を閉じて水を止める。【００１３】  給水ニードルバルブ４は、他にオリフィスや定流量弁などに変更したものも考えられるが、真空ポンプ１２の吸引する蒸発量と同じ位の量の水が、流れるタイプを使用する。真空ポンプ１２の能力は、真空到達度９ｍｍＨｇ以下で、排気速度は使用する蒸発器７，蒸発器８を１分程度で排気できるものを使用する。真空圧力スイッチ９は真空用を、真空遅延タイマー２０、給水タイマー２１は最大セットが１〜３分のもので秒単位でもセットできるものを使用する。また、蒸発器入口温度調節器１９はデフが１℃のものを使用する。【００１４】  実施例での試運転調整  Ａ準備  蒸発器７、蒸発器８が真空になったり水が入ったりしていないか、給気バルブ１３、排水バルブ５を開いて確認する。給水タンク１の排水バルブ１５を閉めて水を入れ、給水ニードルバルブ４は全閉にする。給水タイマー２１、真空遅延タイマー２０は、１分程度に蒸発器入口温度調節器１９は１０℃にセットする。【００１５】  Ｂテスト調整  電源スイッチ１６を入れる。圧力計１０を見て蒸発器７，蒸発器８が、約−６５ｃｍＨｇになったら電源スイッチ１６を切り真空圧力スイッチ９がＯＮになるようにセットする。【００１６】  Ｃ確認  給気バルブ１３を開けて、蒸発器７、蒸発器８が大気圧に戻ったら給気バルブ１３を閉め、また、電源スイッチ１６を入れてセットした真空度で真空圧力スイッチ９がＯＮになるか確認する。【００１７】  Ｄテスト調整  次に真空圧力スイッチ９がＯＮしてから圧力計１０を見ながら、蒸発器７，蒸発器８が９ｍｍＨｇになるまでの時間を計り、真空遅延タイマー２０をセットする。
Ｅ確認  電源スイッチ１６を切り、給気バルブ１３を開け蒸発器７，蒸発器８が大気圧に戻ったら給気バルブ１３を閉め、また、電源スイッチ１６を入れて送風ファン１４が、作動したとき蒸発器７，蒸発器８の圧力が下がっているか圧力計１０で確認する。【００１９】  Ｆテスト調整  送風ファン１４が作動したら、真空度が下がらないように圧力計１０の針を見ながら給水ニードルバルブ４を静かに開き調整してロックする。（真空度が下がったら開きすぎなので絞る。）しばらく試運転を行い終了するときは電源を切る。【００２０】  Ｇセット  給水タイマー２１は、５〜１０秒にセットする。蒸発器入口温度調節器１９のセットは、誤差やセンサーの取り付け位置によっても温度感知が異なるので１０℃を目安にセットする。
【産業上の利用可能性】
【００１９】  ビルや家庭用にも使用できるため産業上の利用可能性を有する。
【図面の簡単な説明】
【００２０】
【図１】  本発明の空気調和機の実施例を示す配管図である。
【図２】  実施例図１の電気回路図である。
【符号の説明】
【００２１】  １………給水タンク                    １１………排気用逆止弁
２………タンク用フロートスイッチ      １２………真空ポンプ
３………給水電磁弁                    １３………給気バルブ
４………給水用ニードルバルブ          １４………送風ファン
５………排水バルブＡ                  １５………排水バルブＢ
６………蒸発器入口温度センサー        １６………電源スイッチ
７………蒸発器Ａ                      １７………真空ポンプ用サーマル
８………蒸発器Ｂ                      １８………真空ポンプ用電磁開閉器
９………真空圧力スイッチ              １９………蒸発器入口用温度調節器
１０………圧力計                        ２０………真空遅延タイマー
２１………給水タイマー
【図１】
2006300512.tif 000003
【図２】
2006300512.tif 000004